(57)【要約】【課題】利用者単位で権利管理情報を所有することができるコンテンツ再生システムを提供する。【解決手段】コンテンツ再生システム１は受像機３と携帯端末５からなり、受像機３と携帯端末５は赤外線受発光機２２、６１を用いた非接触通信手段を介して互いに接続されている。携帯端末５は端末本体２５と、端末本体２５に接続されたＩＣカード２７からなる。  コンテンツを再生する時は、受像機３は携帯本体２５に対してコンテンツに対応する権利管理情報の送信を断続的に要求する。  端末本体２５は、要求を受ける度に、ＩＣカード２７が保持する権利管理情報を非接触通信手段を介して受像機３に送信し、権利管理情報を受信した受像機３は、権利管理情報を基にコンテンツを復号化し、再生する。【選択図】図１
2007208375.tif 000002
【特許請求の範囲】
【請求項１】
コンテンツを再生する受像機と、
前記受像機と非接触通信手段を用いて通信を行う携帯端末と、
からなり、
前記受像機は、前記携帯端末と通信を行う非接触通信手段を有し、
前記携帯端末は、端末本体と、前記端末本体に接続されたＩＣカードと、前記受像機と通信を行う非接触通信手段と、
を有し、
前記ＩＣカードは、前記コンテンツの利用の制限に関する情報である権利管理情報を保持する保持手段を有し、
前記受像機は、
前記携帯端末と通信を行う非接触通信手段と、
前記携帯端末に、前記非接触通信手段を用いて、権利管理情報の送信を要求する要求手段と、
前記要求に応じて前記携帯端末が送信した前記権利管理情報を基に前記コンテンツを再生する再生手段と、
を有し、
前記端末本体は、
前記受像機の要求に応じて前記権利管理情報の送信を前記ＩＣカードに要求する要求手段と、
前記ＩＣカードから送信された前記権利管理情報を前記非接触通信手段を用いて前記受像機に送信する送信手段と、を有し、
前記ＩＣカードは、前記端末本体の求めに応じて前記権利管理情報を前記端末本体に送信する送信手段を有することを特徴とするコンテンツ再生システム。
【請求項２】
前記端末本体は、前記端末本体の存在を示す情報である存在情報を保持する手段を有し、
前記受像機は、
前記携帯端末に前記携帯端末の存在を示す情報である存在情報の送信を前記非接触通信手段を用いて要求する要求手段と、
前記存在情報を受信した場合は前記権利管理情報を基に前記コンテンツを再生する再生手段と、
を有し、
前記端末本体は
前記受像機の求めに応じて前記存在情報を前記非接触通信手段を用いて前記受像機に送信する送信手段をさらに有することを特徴とする請求項１記載のコンテンツ再生システム。
【請求項３】
非接触通信手段を介して携帯端末と通信を行い、通信内容を基にコンテンツを再生する受像機であって、
前記携帯端末と通信を行う非接触通信手段と、
前記携帯端末に、前記コンテンツの利用の制限に関する情報である権利管理情報の送信を前記非接触通信手段を用いて要求する要求手段と、
前記要求に応じて前記携帯端末が送信した前記権利管理情報を基に前記コンテンツを再生する再生手段と、
を有することを特徴とする受像機。
【請求項４】
前記受像機は、
前記携帯端末に前記携帯端末の存在を示す情報である存在情報の送信を前記非接触通信手段を用いて要求する要求手段と、
前記存在情報を受信した場合は前記権利管理情報を基に前記コンテンツを再生する再生手段と、
を有することを特徴とする請求項３記載の受像機。
【請求項５】
コンテンツを再生する受像機に非接触通信手段を介して通信を行う携帯端末であって、
端末本体と、
前記端末本体に設けられた非接触通信手段と、
前記端末本体に接続されたＩＣカードと
を有し、
前記ＩＣカードは、
前記コンテンツの利用の制限に関する情報である権利管理情報を保持する保持手段を有し、
前記端末本体は、
前記受像機の要求に応じて、前記権利管理情報の送信を前記ＩＣカードに要求する手段と、
前記要求に応じて前記ＩＣカードから送信された前記権利管理情報を前記受像機に送信する送信手段とをさらに有し、
前記ＩＣカードは、
前記コンテンツの利用の制限に関する情報である権利管理情報を保持する保持手段と、
前記端末本体の求めに応じて前記権利管理情報を前記端末本体に送信する送信手段と、を有することを特徴とする携帯端末。
【請求項６】
前記端末本体は、
前記端末本体の存在を示す情報である存在情報を有し、
前記受像機の求めに応じて、前記存在情報を前記非接触通信手段を用いて前記受像機に送信する送信手段をさらに有することを特徴とする請求項５記載の携帯端末。
【請求項７】
コンテンツを再生する受像機と非接触通信手段を介して通信を行う端末本体に接続されたＩＣカードであって、
前記コンテンツの利用の制限に関する情報である権利管理情報を保持する保持手段と、
前記端末本体の求めに応じて前記権利管理情報を前記端末本体に送信する送信手段と、
を有することを特徴とするＩＣカード。
【請求項８】
コンテンツを再生する受像機と、
前記受像機に非接触通信手段を介して通信を行うＩＣカードと、
からなり、
前記ＩＣカードは、前記受像機と通信を行う非接触通信手段と、前記コンテンツの利用の制限に関する情報である権利管理情報を保持する保持手段と、を有し、
前記受像機は、
前記ＩＣカードと通信を行う非接触通信手段と、
前記ＩＣカードに前記非接触通信手段を用いて前記権利管理情報の送信を要求する要求手段と、
前記要求に応じて前記ＩＣカードが送信した前記権利管理情報を基に前記コンテンツを再生する再生手段と、
を有し、
前記ＩＣカードは
前記受像機の求めに応じて前記権利管理情報を前記非接触通信手段を用いて前記受像機に送信する送信手段と、
を有することを特徴とするコンテンツ再生システム。
【請求項９】
前記ＩＣカードは、前記ＩＣカードの存在を示す情報である存在情報を保持する手段を有し、
前記受像機は、
前記ＩＣカードに前記存在情報の送信を前記非接触通信手段を用いて要求する要求手段と、
前記存在情報を受信した場合は前記権利管理情報を基に画像を表示する表示手段と、
を有し、
前記ＩＣカードは、前記受像機の求めに応じて存在情報を前記非接触通信手段を用いて前記受像機に送信する送信手段をさらに有することを特徴とする請求項８記載のコンテンツ再生システム。
【請求項１０】
非接触通信手段を介してＩＣカードと通信を行い、通信内容を基にコンテンツを再生する受像機であって、
前記ＩＣカードと通信を行う非接触通信手段と、
前記ＩＣカードに前記コンテンツの利用の制限に関する情報である権利管理情報の送信を前記非接触通信手段を用いて要求する要求手段と、
前記要求に応じて前記ＩＣカードが送信した前記権利管理情報を基にコンテンツを再生する再生手段と、
を有することを特徴とする受像機。
【請求項１１】
前記受像機は、
前記ＩＣカードに、前記ＩＣカードの存在を示す情報である存在情報の送信を、前記非接触手段を用いて要求する要求手段と、
前記存在情報を受信した場合は前記権利管理情報を基にコンテンツを再生する手段と、
を有することを特徴とする請求項１０記載の受像機。
【請求項１２】
コンテンツを再生する受像機と非接触通信手段を介して通信を行うＩＣカードであって、
前記受像機と通信を行う非接触通信手段と、
前記コンテンツの利用の制限に関する情報である権利管理情報を保持する保持手段と、
前記受像機の求めに応じて前記権利管理情報を、前記非接触通信手段を用いて前記受像機に送信する送信手段と、
を有することを特徴とするＩＣカード。
【請求項１３】
前記ＩＣカードは、前記ＩＣカードの存在を示す情報である存在情報を保持する手段を有し、
前記受像機の求めに応じて前記存在情報を前記非接触通信手段を用いて前記受像機に送信する送信手段をさらに有することを特徴とする請求項１２記載のＩＣカード。
【請求項１４】
コンピュータを請求項３または４記載の受像機として機能させるためのプログラム。
【請求項１５】
コンピュータを請求項５または６記載の端末本体として機能させるためのプログラム。
【請求項１６】
コンピュータを請求項７記載のＩＣカードとして機能させるためのプログラム。
【請求項１７】
コンピュータを請求項１０または１１記載の受像機として機能させるためのプログラム。
【請求項１８】
コンピュータを請求項１２または１３記載のＩＣカードとして機能させるためのプログラム。
【発明の詳細な説明】
【技術分野】
【０００１】
本発明は、コンテンツ再生システムに関するものである。
【背景技術】
【０００２】
近年、有料デジタル放送などの、デジタル技術を利用した放送により映像コンテンツを配信する技術が広く用いられるようになってきている。
【０００３】
これらデジタル技術を利用した放送では、通常、コンテンツには暗号化処理が施され、再生できない状態で利用者の所有する受像機に配信される。
【０００４】
従って、コンテンツの再生を希望する利用者は、別途配信者と契約を結んで再生する権利を購入し、受像機に接続されたＩＣカードに、映像を復号化するための権利管理情報を保存する必要がある。
【０００５】
そして、権利管理情報が有する復号化の情報に従ってコンテンツを復号化し、再生可能な状態にしてから再生を行う。
このようなシステムとしては、以下のようなものが知られている（特許文献１）。
【特許文献１】特開２００５-３１７８０号公報
【発明の開示】
【発明が解決しようとする課題】
【０００６】
しかしながら、このようなシステムでは、再生する権利をＩＣカード単位で所有しているため、複数の利用者が受像機を共有する場合でも、全ての利用者の権利管理情報を一枚のＩＣカードに記録しなければならない。
従って、利用者の一人がＩＣカードを持ち出してしまうと、他の利用者がコンテンツを再生できなくなるという問題があった。
【０００７】
本発明は、このような問題に鑑みてなされたもので、その目的は利用者単位で権利管理情報を所有することができるコンテンツ再生システムを提供することにある。
【課題を解決するための手段】
【０００８】
前述した目的を達成するために、第１の発明は、コンテンツを再生する受像機と、前記受像機と非接触通信手段を用いて通信を行う携帯端末と、からなり、前記受像機は、前記携帯端末と通信を行う非接触通信手段を有し、前記携帯端末は、端末本体と、前記端末本体に接続されたＩＣカードと、前記受像機と通信を行う非接触通信手段と、を有し、前記ＩＣカードは、前記コンテンツの利用の制限に関する情報である権利管理情報を保持する保持手段を有し、前記受像機は、前記携帯端末と通信を行う非接触通信手段と、前記携帯端末に、前記非接触通信手段を用いて、権利管理情報の送信を要求する要求手段と、前記要求に応じて前記携帯端末が送信した前記権利管理情報を基に前記コンテンツを再生する再生手段と、を有し、前記端末本体は、前記受像機の要求に応じて前記権利管理情報の送信を前記ＩＣカードに要求する要求手段と、前記ＩＣカードから送信された前記権利管理情報を前記非接触通信手段を用いて前記受像機に送信する送信手段と、を有し、前記ＩＣカードは、前記端末本体の求めに応じて前記権利管理情報を前記端末本体に送信する送信手段を有することを特徴とするコンテンツ再生システムである。
【０００９】
前記端末本体は、前記端末本体の存在を示す情報である存在情報を保持する手段を有し、前記受像機は、前記携帯端末に前記携帯端末の存在を示す情報である存在情報の送信を前記非接触通信手段を用いて要求する要求手段と、前記存在情報を受信した場合は前記権利管理情報を基に前記コンテンツを再生する再生手段と、を有し、前記端末本体は前記受像機の求めに応じて前記存在情報を前記非接触通信手段を用いて前記受像機に送信する送信手段をさらに有してもよい。
【００１０】
第２の発明は、非接触通信手段を介して携帯端末と通信を行い、通信内容を基にコンテンツを再生する受像機であって、前記携帯端末と通信を行う非接触通信手段と、前記携帯端末に、前記コンテンツの利用の制限に関する情報である権利管理情報の送信を前記非接触通信手段を用いて要求する要求手段と、前記要求に応じて前記携帯端末が送信した前記権利管理情報を基に前記コンテンツを再生する再生手段と、を有することを特徴とする受像機である。
【００１１】
前記受像機は、前記携帯端末に前記携帯端末の存在を示す情報である存在情報の送信を前記非接触通信手段を用いて要求する要求手段と、前記存在情報を受信した場合は前記権利管理情報を基に前記コンテンツを再生する再生手段と、を有してもよい。
【００１２】
第３の発明は、コンテンツを再生する受像機に非接触通信手段を介して通信を行う携帯端末であって、端末本体と、前記端末本体に設けられた非接触通信手段と、前記端末本体に接続されたＩＣカードと、を有し、前記ＩＣカードは、前記コンテンツの利用の制限に関する情報である権利管理情報を保持する保持手段を有し、前記端末本体は、前記受像機の要求に応じて、前記権利管理情報の送信を前記ＩＣカードに要求する手段と、前記要求に応じて前記ＩＣカードから送信された前記権利管理情報を前記受像機に送信する送信手段とをさらに有し、前記ＩＣカードは、前記コンテンツの利用の制限に関する情報である権利管理情報を保持する保持手段と、前記端末本体の求めに応じて前記権利管理情報を前記端末本体に送信する送信手段と、を有することを特徴とする携帯端末である。
【００１３】
前記端末本体は、前記端末本体の存在を示す情報である存在情報を有し、前記受像機の求めに応じて、前記存在情報を前記非接触通信手段を用いて前記受像機に送信する送信手段をさらに有してもよい。
【００１４】
第４の発明は、コンテンツを再生する受像機と非接触通信手段を介して通信を行う端末本体に接続されたＩＣカードであって、前記コンテンツの利用の制限に関する情報である権利管理情報を保持する保持手段と、前記端末本体の求めに応じて前記権利管理情報を前記端末本体に送信する送信手段と、を有することを特徴とするＩＣカードである。
【００１５】
第５の発明は、コンテンツを再生する受像機と、前記受像機に非接触通信手段を介して通信を行うＩＣカードと、からなり、前記ＩＣカードは、前記受像機と通信を行う非接触通信手段と、前記コンテンツの利用の制限に関する情報である権利管理情報を保持する保持手段と、を有し、前記受像機は、前記ＩＣカードと通信を行う非接触通信手段と、前記ＩＣカードに前記非接触通信手段を用いて前記権利管理情報の送信を要求する要求手段と、前記要求に応じて前記ＩＣカードが送信した前記権利管理情報を基に前記コンテンツを再生する再生手段と、を有し、前記ＩＣカードは前記受像機の求めに応じて前記権利管理情報を前記非接触通信手段を用いて前記受像機に送信する送信手段と、を有することを特徴とするコンテンツ再生システムである。
【００１６】
前記ＩＣカードは、前記ＩＣカードの存在を示す情報である存在情報を保持する手段を有し、前記受像機は、前記ＩＣカードに前記存在情報の送信を前記非接触通信手段を用いて要求する要求手段と、前記存在情報を受信した場合は前記権利管理情報を基に画像を表示する表示手段と、を有し、前記ＩＣカードは、前記受像機の求めに応じて存在情報を前記非接触通信手段を用いて前記受像機に送信する送信手段をさらに有してもよい。
【００１７】
第６の発明は、非接触通信手段を介してＩＣカードと通信を行い、通信内容を基にコンテンツを再生する受像機であって、前記ＩＣカードと通信を行う非接触通信手段と、前記ＩＣカードに前記コンテンツの利用の制限に関する情報である権利管理情報の送信を前記非接触通信手段を用いて要求する要求手段と、前記要求に応じて前記ＩＣカードが送信した前記権利管理情報を基にコンテンツを再生する再生手段と、を有することを特徴とする受像機である。
【００１８】
前記受像機は、前記ＩＣカードに、前記ＩＣカードの存在を示す情報である存在情報の送信を、前記非接触手段を用いて要求する要求手段と、前記存在情報を受信した場合は前記権利管理情報を基にコンテンツを再生する手段と、を有してもよい。
【００１９】
第７の発明は、コンテンツを再生する受像機と非接触通信手段を介して通信を行うＩＣカードであって、前記受像機と通信を行う非接触通信手段と、前記コンテンツの利用の制限に関する情報である権利管理情報を保持する保持手段と、前記受像機の求めに応じて前記権利管理情報を、前記非接触通信手段を用いて前記受像機に送信する送信手段と、を有することを特徴とするＩＣカードである。
【００２０】
前記ＩＣカードは、前記ＩＣカードの存在を示す情報である存在情報を保持する手段を有し、前記受像機の求めに応じて前記存在情報を前記非接触通信手段を用いて前記受像機に送信する送信手段をさらに有してもよい。
【００２１】
第８の発明は、コンピュータを第２の発明に記載の受像機として機能させるためのプログラムである。
第９の発明は、コンピュータを第３の発明に記載の端末本体として機能させるためのプログラムである。
【００２２】
第１０の発明は、コンピュータを第４の発明に記載のＩＣカードとして機能させるためのプログラムである。
第１１の発明は、コンピュータを第６の発明に記載の受像機として機能させるためのプログラムである。
第１２の発明は、コンピュータを第７の発明に記載のＩＣカードとして機能させるためのプログラムである。
【発明の効果】
【００２３】
本発明によれば、利用者単位で権利管理情報を所有することができるコンテンツ再生システムを提供することができる。
【発明を実施するための最良の形態】
【００２４】
以下、図面に基づいて本発明に好適な実施形態を詳細に説明する。図１は、第１の実施形態に係るコンテンツ再生システム１の構成を示す図であって、図２は図１の受像機３のハードウェア構成を示す図、図３は受像機３の記憶部１１の構成を示す図である。
【００２５】
また、図４は図１の携帯端末５のハードウェア構成を示す図であって、図５は端末本体２５の記憶部４１の構成を示す図である。
さらに、図６は図１のＩＣカード２７のハードウェア構成を示す図であって、図７はＩＣカード２７の記憶部７１の構成を示す図である。
【００２６】
図１に示すように、コンテンツ再生システム１は受像機３と携帯端末５からなり、受像機３と携帯端末５は赤外線受発光機２２、６１を用いた非接触通信手段を介して互いに接続されている。
【００２７】
図２に示すように、受像機３は、制御部９、記憶部１１、通信部１３、入力部１５、表示部１７、インタフェース部１９、赤外通信部２０等がバス２１を介して互いに接続されている。
【００２８】
制御部９は、ＣＰＵ（Central
Processing Unit）、ＲＯＭ（Read Only
Memory）、ＲＡＭ（Random Access
Memory）等で構成され、記憶部１１に格納されたプログラムに従って、バス２１を介して接続された各装置を駆動制御する。
【００２９】
記憶部１１には、図３に示すように、受像機３の各構成部分を駆動制御するための制御プログラム１０１、本発明を実施するための権利管理情報受信プログラム１０２、コンテンツ再生プログラム１０３、存在情報受信プログラム１０４が格納されている。
【００３０】
これらの各プログラムコードは、制御部９により必要に応じて読み出されてＲＡＭに移され、ＣＰＵに読み出されて各種の手段として実行される。
【００３１】
入力部１５、表示部１７は利用者がコンテンツを再生したり、受像機３の設定を変更したりする際に用いられる。
【００３２】
通信部１３には、アンテナ２３が設けられており、アンテナ２３がコンテンツを受信する。
【００３３】
赤外通信部２０は赤外線を用いて携帯端末２５との間での非接触の通信を行う際に用いられ、赤外線受発光機２２が設けられている。
インタフェース部１９には別途ＩＣカード等が接続される。
【００３４】
図４に示すように、携帯端末５は、端末本体２５および端末本体２５のインタフェース部３１に接続されたＩＣカード２７、メモリカード２９からなる。
【００３５】
端末本体２５は携帯電話等であり、制御部３９、記憶部４１、通信部４３、入力部４５、表示部４７、インタフェース部３１、カメラ５３、赤外通信部５５、マイク５７等がバス５１を介して互いに接続されている。
【００３６】
制御部３９は、ＣＰＵ、ＲＯＭ、ＲＡＭ等で構成され、記憶部４１に格納されたプログラムに従って、バス５１を介して接続された各装置を駆動制御する。
【００３７】
記憶部４１には、図５に示すように、端末本体２５の各構成部分を駆動制御するための制御プログラム２０１、本発明を実施するための権利管理情報送信プログラム２０２、存在情報送信プログラム２０３が格納されている。
【００３８】
これらの各プログラムコードは、制御部３９により必要に応じて読み出されてＲＡＭに移され、ＣＰＵに読み出されて各種の手段として実行される。
【００３９】
また、記憶部４１には、端末本体２５の存在を示す情報である存在情報２０４が格納されている。
【００４０】
入力部４５、表示部４７は端末本体２５が、受像機３や他の端末本体２５と通話、通信を行う際や、端末本体２５の動作設定の際に用いられる。
カメラ５３はデジタルカメラ等であり、写真の撮影に用いられる。
マイク５７は、通話の際に用いられる。
【００４１】
赤外通信部５５は赤外線を用いて受像機３との間での非接触の通信を行う際に用いられ、赤外線受発光機６１が設けられている。
【００４２】
通信部４３は、他の端末本体２５と通話や通信を行う際に用いられ、通信、通話用のアンテナ５９が接続されている。
【００４３】
インタフェース部３１は周辺機器を接続するためのポートであり、ＩＣカード２７、記憶媒体であるメモリカード２９が接続されている。
【００４４】
図６（ａ）に示すように、ＩＣカード２７は制御部６９、記憶部７１、インタフェース部７３がバス７５を介して互いに接続されている。
なお、インタフェース部７３には端末本体２５が接続されている。
【００４５】
制御部６９は、ＣＰＵ、ＲＯＭ、ＲＡＭ等で構成され、記憶部７１に格納されたプログラムに従って、バス７５を介して接続された各装置を駆動制御する。
【００４６】
記憶部７１には、図７に示すように、ＩＣカード２７の各構成部分を駆動制御するための制御プログラム３０１、本発明を実施するための権利管理情報送信プログラム３０２が格納されている。
【００４７】
また、コンテンツの利用の制限に関する情報の集合である権利管理情報データベース３０３が格納されている。
【００４８】
これらの各プログラムコードは、制御部６９によりＣＰＵに読み出されて各種の手段として実行される。
【００４９】
なお、図６（ｂ）に示すＩＣカード２７ａのように、赤外通信部５５を端末本体２５内ではなく、ＩＣカード２７ａ内に設けてもよい。
【００５０】
次に、コンテンツ再生システム１の動作について説明する。
図８は受像機３がコンテンツを再生する際のコンテンツ再生システム１の動作を示すフローチャートである。
なお、第１の実施形態では、受像機３はコンテンツを既に受信しているものとする。
【００５１】
まず、利用者が受像機３の入力部１５もしくはリモコン等を用いて、受像機３が再生するコンテンツの選択を行う（ステップ４０１）。なお、携帯端末５をリモコンとして用いてコンテンツの選択を行ってもよい。
【００５２】
受像機３の制御部９は、権利管理情報受信プログラム１０２を起動し、選択されたコンテンツに対応する権利管理情報の送信を、赤外通信部２０を用いて端末本体２５の制御部３９に要求する（ステップ４０２）。
【００５３】
要求を受けた端末本体２５の制御部３９は、権利管理情報送信プログラム２０２を起動し、ＩＣカード２７の制御部６９に権利管理情報の送信を要求する（ステップ４０３）。
【００５４】
要求を受けたＩＣカード２７の制御部６９は、権利管理情報送信プログラム３０２を起動し、記憶部７１が保持する権利管理情報データベース３０３から、対応する権利管理情報を選択して、端末本体２５の制御部３９に送信する（ステップ４０４）。
【００５５】
権利管理情報を受信した端末本体２５の制御部３９は、これを赤外通信部５５を用いて受像機３に送信する（ステップ４０５）。
【００５６】
ここで、受像機３の制御部９は権利管理情報を受信したか否かを判断し、受信していない場合はステップ４０７に進み、受信した場合はステップ４０８に進む（ステップ４０６）。
【００５７】
権利管理情報を受信していない場合は、受像機３はコンテンツを再生せず、ステップ４０２に戻る（ステップ４０７）。
なお、それまでコンテンツを表示していた場合は再生を停止する。
また、この際「このコンテンツは再生できません」等のメッセージを表示したり、再生可能な他のコンテンツを再生するようにしたりしてもよい。
【００５８】
権利管理情報を受信していない場合とは、携帯端末５が、赤外線受発光機２２の通信可能な範囲にない場合や、携帯端末５の電源が入っていない場合等である。
【００５９】
権利管理情報を受信した場合は、受像機３の制御部９は権利管理情報を参照し、コンテンツの再生が可能か否かを判断し、可能でない場合はステップ４０７に進み、可能な場合はステップ４０９に進む（ステップ４０８）。
【００６０】
コンテンツの再生が可能でない場合は、受像機３はコンテンツを再生せず、ステップ４０２に戻る（ステップ４０７）。
なお、それまでコンテンツを表示していた場合は再生を停止する。
また、この際「このコンテンツは再生できません」等のメッセージを表示したり、再生可能な他のコンテンツを再生するようにしたりしてもよい。
【００６１】
なお、コンテンツの再生が可能でない場合とは、例えば、コンテンツ再生の契約期間が過ぎており、権利管理情報が無効になっている場合等である。
【００６２】
コンテンツの再生が可能な場合は、受像機３の制御部９はコンテンツ再生プログラム１０３を起動し、権利管理情報を基に受信したコンテンツを復号化して再生し、ステップ４０２に戻る（ステップ４０９）。
【００６３】
即ち、第１の実施形態においては受像機３の制御部９は、コンテンツに対応した権利管理情報の送信を断続的に要求し続けており、携帯端末５が要求に応じて権利管理情報を送信している間はコンテンツを再生するが、送信しなくなると、コンテンツの再生を停止する。
【００６４】
ここで、受像機３と携帯端末５は赤外線受発光機２２、６１を用いた非接触手段によって通信を行っているため、コンテンツの利用者は、ＩＣカード２７を受像機３に直接接続しなくても、赤外線受発光機２２の通信可能な範囲にＩＣカード２７が接続された携帯端末５を置いておけば、コンテンツを再生することができる。
【００６５】
また、ＩＣカード２７は複数あってもよい。例えば、赤外線受発光機２２の通信可能な範囲に、ＩＣカード２７が接続された携帯端末５が複数ある場合は、複数のＩＣカード２７それぞれの権利管理情報に対応するコンテンツ全てを、一台の受像機３で再生することができる。
即ち、第１の実施形態ではＩＣカード２７の利用者単位で権利管理情報を所有することができる。
【００６６】
さらに、複数のＩＣカード２７が同一のコンテンツに対応した権利管理情報を有している場合は、ＩＣカード２７の所有者間でコンテンツの再生料金を分割することも可能である。
【００６７】
また、ＩＣカード２７は受像機３のインタフェース部１９に挿入することにより、受像機３に権利管理情報を送信することも可能である。
【００６８】
このように、第１の実施の形態によれば、コンテンツ再生システム１が受像機３と、ＩＣカード２７を有する携帯端末５からなり、受像機３は非接触手段によって携帯端末５から送信された権利管理情報を元にしてコンテンツを復号化して再生する。
従って、ＩＣカード２７の利用者単位で権利管理情報を所有することができる。
【００６９】
次に、第２の実施形態について説明する。
図９は第２の実施形態において、受像機３がコンテンツを再生する際のコンテンツ再生システム１ａの動作を示すフローチャートである。
【００７０】
第２の実施形態に係るコンテンツ再生システム１ａでは、端末本体２５は、受像機３の要求に応じて権利管理情報を送信するのではなく、常時、ＩＣカード２７の保持する権利管理情報を送信し続ける。
なお、コンテンツ再生システム１ａの構成はコンテンツ再生システム１と同様であるため、説明を省略する。
【００７１】
まず、端末本体２５の制御部３９は権利管理情報送信プログラム２０２を起動して、ＩＣカード２７が保持する権利管理情報データベース３０３内の全ての権利管理情報を受像機３に対して送信し続ける（ステップ５０１）。
【００７２】
一方、利用者は受像機３の入力部１５もしくはリモコン等を用いて、受像機３が再生するコンテンツの選択を行う（ステップ５０２）。
なお、携帯端末５をリモコンとして用いてコンテンツの選択を行ってもよい。
【００７３】
ここで、受像機３の制御部９は権利管理情報を受信した否かを判断し、受信していない場合はステップ５０４に進み、受信した場合はステップ５０５に進む（ステップ５０３）。
【００７４】
権利管理情報を受信していない場合は、受像機３はコンテンツを再生せず、ステップ５０３に戻る（ステップ５０４）。
なお、それまでコンテンツを表示していた場合は再生を停止する。
【００７５】
また、この際「このコンテンツは再生できません」等のメッセージを表示したり、再生可能な他のコンテンツを再生するようにしたりしてもよい。
【００７６】
権利管理情報を受信していない場合とは、携帯端末５が、赤外線受発光機２２の通信可能な範囲にない場合や、携帯端末５の電源が入っていない場合等である。
【００７７】
権利管理情報を受信した場合は、受像機３の制御部９は権利管理情報を参照し、コンテンツの再生が可能か否かを判断し、可能でない場合はステップ５０４に進み、可能な場合はステップ５０６に進む（ステップ５０５）。
【００７８】
コンテンツの再生が可能でない場合は、受像機３をコンテンツを表示せず、ステップ５０３に戻る（ステップ５０４）。
なお、それまでコンテンツを表示していた場合は表示を停止する。
【００７９】
また、この際「このコンテンツは再生できません」等のメッセージを表示したり、再生可能な他のコンテンツを再生するようにしたりしてもよい。
【００８０】
なお、コンテンツの再生が可能でない場合とは、例えば、コンテンツ再生の契約期間が過ぎており、権利管理情報が無効になっている場合等である。
【００８１】
コンテンツの再生が可能な場合は、受像機３の制御部９はコンテンツ再生プログラム１０３を起動し、権利管理情報を基に受信したコンテンツを復号化して再生し、ステップ５０３に戻る（ステップ５０６）。
【００８２】
即ち、受像機３の制御部９はコンテンツに対応した権利管理情報の送信を断続的に要求し続けており、携帯端末５が権利管理情報を送信している間はコンテンツを再生するが、送信しなくなると、コンテンツの再生を停止する。
【００８３】
このように、第２の実施の形態によれば、コンテンツ再生システム１ａが受像機３と、ＩＣカード２７を有する携帯端末５からなり、受像機３は非接触手段によって携帯端末５から送信された権利管理情報を元にしてコンテンツを復号化して再生する。
従って、第１の実施形態と同様の効果を奏する。
【００８４】
また、第２の実施形態によれば、携帯端末５は常時権利管理情報を送信し続けているだけで、受像機３から情報を受信することがないため、権利管理情報送信プログラム２０２および権利管理情報送信プログラム３０２を簡略化することができる。
【００８５】
次に、第３の実施形態について説明する。
図１０は第３の実施形態において、受像機３がコンテンツを再生する際のコンテンツ再生システム１ｂの動作を示すフローチャートである。
【００８６】
第３の実施形態に係るコンテンツ再生システム１ｂにおいては、受像機３が権利管理情報の送信を要求するのは一度のみであり、以後は受像機３は端末本体２５の存在情報の受信によりコンテンツを再生する。
なお、コンテンツ再生システム１ｂの構成はコンテンツ再生システム１と同様であるため、説明を省略する。
【００８７】
まず、利用者が受像機３の入力部１５もしくはリモコン等を用いて受像機３が再生するコンテンツの選択を行う（ステップ７０１）。
なお、携帯端末５をリモコンとして用いてコンテンツの選択を行ってもよい。
【００８８】
受像機３の制御部９は、権利管理情報受信プログラム１０２を起動し、選択されたコンテンツに対応する権利管理情報の送信を、赤外通信部２０を用いて端末本体２５の制御部３９に要求する（ステップ７０２）。
【００８９】
要求を受けた端末本体２５の制御部３９は、権利管理情報送信プログラム２０２を起動し、ＩＣカード２７の制御部６９に権利管理情報の送信を要求する（ステップ７０３）。
【００９０】
要求を受けたＩＣカード２７の制御部６９は、権利管理情報送信プログラム３０２を起動し、記憶部７１の保持する権利管理情報データベース３０３から、対応する権利管理情報を選択して、端末本体２５の制御部３９に送信する（ステップ７０４）。
【００９１】
権利管理情報を受信した端末本体２５の制御部３９は、これを赤外通信部５５を用いて受像機３に送信する（ステップ７０５）。
【００９２】
ここで、受像機３の制御部９は権利管理情報を受信したかを判断し、受信していない場合はステップ７０７に進み、受信した場合はステップ７０８に進む（ステップ７０６）。
【００９３】
権利管理情報を受信していない場合は、受像機３はコンテンツを再生せず、ステップ７０２に戻る（ステップ４０７）。
なお、それまでコンテンツを再生していた場合は、記憶部１１が保持する権利管理情報を消去して再生を停止する。
【００９４】
また、この際「このコンテンツは再生できません」等のメッセージを表示したり、再生可能な他のコンテンツを再生するようにしたりしてもよい。
【００９５】
権利管理情報を受信していない場合とは、携帯端末５が、赤外線受発光機２２の通信可能な範囲にない場合や、携帯端末５の電源が入っていない場合等である。
【００９６】
権利管理情報を受信した場合は、受像機３の制御部９は権利管理情報を参照し、コンテンツの再生が可能か否かを判断し、可能でない場合はステップ７０７に進み、可能な場合はステップ７０９に進む（ステップ７０８）。
【００９７】
コンテンツの再生が可能でない場合は、受像機３はコンテンツを再生せず、ステップ７０２に戻る（ステップ７０７）。
【００９８】
なお、コンテンツの再生が可能でない場合とは、例えば、コンテンツ再生の契約期間が過ぎており、権利管理情報が無効になっている場合等である。
【００９９】
コンテンツの再生が可能な場合は、受像機３の制御部９はコンテンツ再生プログラム１０３を起動し、権利管理情報を基に受信したコンテンツを復号化して再生する（ステップ７０９）。
【０１００】
次に、受像機３の制御部９は記憶部１１に権利管理情報を保持する（ステップ７１０）。
次に、受像機３の制御部９は存在情報受信プログラム１０４を起動し、赤外通信部２０を用いて端末本体２５に対して存在情報２０４の送信を要求する（ステップ７１１）。
【０１０１】
要求を受けた端末本体２５の制御部３９は、存在情報送信プログラム２０３を起動し、記憶部４１の保持する存在情報２０４を赤外通信部５５を用いて受像機３に送信する（ステップ７１２）。
【０１０２】
なお、存在情報２０４としては、端末本体２５の存在を確認できる情報であれば、特に限定するものではなく、また存在情報２０４はＩＣカード２７が保持していてもよい。
例えば、復号化の方法として、コンテンツを復号するための鍵をＩＣカード２７が定期的に算出して送信する方法を用いている場合は、この鍵を存在情報２０４として用いてもよい。
【０１０３】
ここで、受像機３の制御部９は存在情報２０４を受信したか否かを判断し、受信していない場合はステップ７１４に進み、受信した場合はステップ７１５に進む（ステップ７１３）。
【０１０４】
存在情報２０４を受信していない場合は、受像機３は端末本体２５が存在しないものとみなしてコンテンツを再生せず、ステップ７０２に戻る（ステップ７１４）。
なお、それまでコンテンツを再生していた場合は、記憶部１１が保持する権利管理情報を消去して再生を停止する。
【０１０５】
また、この際「このコンテンツは再生できません」等のメッセージを表示したり、再生可能な他のコンテンツを再生するようにしたりしてもよい。
【０１０６】
存在情報２０４を受信していない場合とは、携帯端末５が、赤外線受発光機２２の通信可能な範囲にない場合や、携帯端末５の電源が入っていない場合等である。
【０１０７】
存在情報２０４を受信した場合は、受像機３は、記憶部１１が保持する権利管理情報を元にしてコンテンツを復号化、再生してステップ７１１に戻る（ステップ７１５）。
【０１０８】
即ち、受像機３の制御部９は、一度権利管理情報を受信した後は、携帯端末５が存在情報２０４を送信し続けている間はコンテンツを再生するが、送信しなくなると、コンテンツの再生を停止する。
【０１０９】
ここで、存在情報２０４は、端末本体２５の存在を示す情報であればよいので、権利管理情報と比べて容量を小さくすることができる。従って、存在情報２０４を送受信する場合のほうが、権利管理情報を送受信する場合と比べて通信負荷が小さくなる。
【０１１０】
このように、第３の実施の形態によれば、コンテンツ再生システム１ｂが受像機３と、ＩＣカード２７を有する携帯端末５からなり、受像機３は非接触手段によって携帯端末５から送信された権利管理情報を元にしてコンテンツを復号化して再生する。
従って、第１の実施形態と同様の効果を奏する。
【０１１１】
また、第３の実施形態によれば、受像機３の制御部９は、一度権利管理情報を受信した後は、携帯端末５が存在情報２０４を送信し続けている間はコンテンツを再生するため、通信負荷を小さくすることができる。
【０１１２】
次に、第４の実施形態について説明する。
図１１は、第４の実施形態に係るコンテンツ再生システム１ｃの構成を示す図であって、図１２は図１１のＩＣカード２７ｂのハードウェア構成を示す図であって、図１３はＩＣカード２７ｂの記憶部７１の構成を示す図である。
【０１１３】
なお、第１の実施形態と同様の機能を果たす要素には同一の番号を付し、説明を省略する。
【０１１４】
第４の実施形態に係るコンテンツ再生システム１ｃでは、第１の実施形態と異なり、端末本体２５が存在せず、ＩＣカード２７ｂと受像機３が直接非接触通信手段を用いて通信を行う。
【０１１５】
図１１に示すように、コンテンツ再生システム１ｃは受像機３とＩＣカード２７ｂからなり、受像機３とＩＣカード２７ｂは赤外線受発光機２２、６１を用いた非接触通信手段を介して互いに接続されている。
なお、受像機３のハードウェア構成および記憶部１１の構成は第１の実施形態と同様であるため、説明を省略する。
【０１１６】
図１２に示すように、ＩＣカード２７ｂは制御部６９、記憶部７１、インタフェース部７３、赤外通信部５５がバス７５を介して互いに接続されている。
【０１１７】
記憶部７１には、図１３に示すように、制御プログラム３０１、権利管理情報送受信プログラム３０２、存在情報送信プログラム２０３が格納されている。
【０１１８】
また権利管理情報データベース３０３、存在情報２０４が格納されている。
【０１１９】
次に、コンテンツ再生システム１ｃの動作について説明する。
図１４は第４の実施形態において、コンテンツを再生する際のコンテンツ再生システム１ｃの動作を示すフローチャートである。
【０１２０】
まず、利用者が受像機３の入力部１５もしくはリモコン等を用いて受像機３が再生するコンテンツの選択を行う（ステップ８０１）。
なお、携帯端末５をリモコンとして用いてコンテンツの選択を行ってもよい。
【０１２１】
受像機３の制御部９は、権利管理情報受信プログラム１０２を起動し、選択されたコンテンツに対応する権利管理情報の送信を、赤外通信部２０を用いてＩＣカード２７ｂの制御部６９に要求する（ステップ８０２）。
【０１２２】
要求を受けたＩＣカード２７ｂの制御部６９は、権利管理情報送信プログラム３０２を起動し、記憶部７１の保持する権利管理情報データベース３０３から、対応する権利管理情報を選択して、受像機３の制御部９に送信する（ステップ８０３）。
【０１２３】
ここで、受像機３の制御部９は権利管理情報を受信したか否かを判断し、受信していない場合はステップ８０５に進み、受信した場合はステップ８０６に進む（ステップ８０４）。
【０１２４】
権利管理情報を受信していない場合は、受像機３はコンテンツを再生せず、ステップ８０２に戻る（ステップ８０５）。
なお、それまでコンテンツを表示していた場合は再生を停止する。
【０１２５】
権利管理情報を受信した場合は、受像機３の制御部９は権利管理情報を参照し、コンテンツの再生が可能か否かを判断し、可能でない場合はステップ８０５に進み、可能な場合はステップ８０７に進む（ステップ８０６）。
【０１２６】
コンテンツの再生が可能でない場合は、受像機３をコンテンツを表示せず、ステップ８０２に戻る（ステップ８０５）。
なお、それまでコンテンツを表示していた場合は表示を停止する。
また、この際「このコンテンツは再生できません」等のメッセージを表示したり、再生可能な他のコンテンツを再生するようにしたりしてもよい。
【０１２７】
コンテンツの再生が可能な場合は、受像機３の制御部９はコンテンツ再生プログラム１０３を起動し、権利管理情報を基に受信したコンテンツを復号化して再生し、ステップ８０２に戻る（ステップ８０７）。
【０１２８】
即ち、受像機３の制御部９はコンテンツに対応した権利管理情報の送信を断続的にＩＣカード２７ｂに対して要求し続けており、ＩＣカード２７ｂが権利管理情報を送信している間はコンテンツを再生するが、送信しなくなると、コンテンツの再生を停止する。
【０１２９】
ここで、受像機３と携帯端末５は赤外線受発光機２２、６１を用いた非接触手段によって通信を行っているため、コンテンツの利用者は、ＩＣカード２７ｂを受像機３に直接接続しなくても、赤外線受発光機２２の通信可能な範囲にＩＣカード２７ｂが接続された携帯端末５を置いておけば、コンテンツを再生することができる。
【０１３０】
また、ＩＣカード２７ｂは複数あってもよい。例えば、赤外線受発光機２２の通信可能な範囲に、ＩＣカード２７ｂが複数ある場合は、複数のＩＣカード２７ｂそれぞれの権利管理情報に対応するコンテンツ全てを、一台の受像機３で再生することができる。
即ち、第４の実施形態ではＩＣカード２７ｂの利用者単位で権利管理情報を所有することができる。
【０１３１】
さらに、複数のＩＣカード２７ｂが同一のコンテンツに対応した権利管理情報を有している場合は、ＩＣカード２７ｂの所有者間でコンテンツの再生料金を分割することも可能である。
【０１３２】
また、ＩＣカード２７ｂを受像機３のインタフェース部１９に挿入することにより、受像機３に権利管理情報を送信することも可能である。
【０１３３】
このように、第４の実施の形態によれば、コンテンツ再生システム１ｃが受像機３と、ＩＣカード２７ｂからなり、受像機３は非接触手段によってＩＣカード２７ｂから送信された権利管理情報を元にしてコンテンツを復号化して再生する。
従って、第１の実施形態と同様の効果を奏する。
【０１３４】
また、第４実施の形態によれば、携帯端末が不要であるため、コンテンツ再生システム１ｃの構造が単純であり、コストが低減される。
【０１３５】
次に、第５の実施形態について説明する。
図１５は第５の実施形態において、コンテンツを再生する際のコンテンツ再生システム１ｄの動作を示すフローチャートである。
【０１３６】
第５の実施形態に係るコンテンツ再生システム１ｄでは、第４の実施形態と異なり、ＩＣカード２７ｂは、受像機３の要求に応じて権利管理情報を送信するのではなく、常時、記憶部７１が保持する権利管理情報を送信し続ける。
なお、コンテンツ再生システム１ｄの構成はコンテンツ再生システム１ｃと同様であるため、説明を省略する。
【０１３７】
まず、ＩＣカード２７ｂの制御部６９は権利管理情報送信プログラム３０２を起動して、記憶部７１が保持する権利管理情報データベース３０３内の全ての権利管理情報を受像機３に対して常時送信する（ステップ９０１）。
【０１３８】
一方、利用者は受像機３の入力部１５もしくはリモコン等を用いて、受像機３が再生するコンテンツの選択を行う（ステップ９０２）。
【０１３９】
受像機３の制御部９は権利管理情報受信プログラム１０２を起動して、権利管理情報を受信したかを判断し、受信していない場合はステップ９０４に進み、受信した場合はステップ９０５に進む（ステップ９０３）。
【０１４０】
権利管理情報を受信していない場合は、受像機３はコンテンツを再生せず、ステップ９０３に戻る（ステップ９０４）。
なお、それまでコンテンツを表示していた場合は再生を停止する。
【０１４１】
権利管理情報を受信した場合は、受像機３の制御部９は権利管理情報を参照し、コンテンツの再生が可能か否かを判断し、可能でない場合はステップ９０４に進み、可能な場合はステップ９０６に進む（ステップ９０５）。
【０１４２】
コンテンツの再生が可能でない場合は、受像機３をコンテンツを表示せず、ステップ９０３に戻る（ステップ５０５）。
なお、それまでコンテンツを表示していた場合は表示を停止する。
また、この際「このコンテンツは再生できません」等のメッセージを表示したり、再生可能な他のコンテンツを再生するようにしたりしてもよい。
【０１４３】
コンテンツの再生が可能な場合は、受像機３の制御部９はコンテンツ再生プログラム１０３を起動し、権利管理情報を基に受信したコンテンツを復号化して再生し、ステップ９０３に戻る（ステップ９０６）。
【０１４４】
即ち、受像機３の制御部９はコンテンツに対応した権利管理情報の送信を断続的に要求し続けており、携帯端末５が権利管理情報を送信し続けている間はコンテンツを再生するが、送信しなくなると、コンテンツの再生を停止する。
【０１４５】
このように、第５の実施の形態によれば、コンテンツ再生システム１ｄが受像機３と、ＩＣカード２７ｂからなり、受像機３は非接触手段によってＩＣカード２７ｂから送信された権利管理情報を元にしてコンテンツを復号化して再生する。
従って、第４の実施形態と同様の効果を奏する。
【０１４６】
また、第５の実施形態によれば、ＩＣカード２７ｂは常時権利管理情報を送信し続けているだけで、受像機３から情報を受信することがないため、権利管理情報送信プログラム３０２を簡略化することができる。
【０１４７】
次に第６の実施形態について説明する。
図１６は第６の実施形態において、受像機３がコンテンツを再生する際のコンテンツ再生システム１ｅの動作を示すフローチャートである。
【０１４８】
第６の実施形態に係るコンテンツ再生システム１ｅでは、受像機３がＩＣカード２７ｂに権利管理情報の送信を要求するのは一度のみであり、以後は受像機３はＩＣカード２７ｂの存在情報２０４を受信することによりコンテンツを再生する。
なお、コンテンツ再生システム１ｅの構成はコンテンツ再生システム１ｃと同様であるため、説明を省略する。
【０１４９】
まず、利用者が受像機３の入力部１５等を用いて受像機３が再生するコンテンツの選択を行う（ステップ１００１）。
【０１５０】
受像機３の制御部９は、権利管理情報受信プログラム１０２を起動し、選択されたコンテンツに対応する権利管理情報の送信を、赤外通信部２０を用いてＩＣカード２７ｂの制御部６９に要求する（ステップ１００２）。
【０１５１】
要求を受けたＩＣカード２７ｂの制御部６９は、権利管理情報送信プログラム３０２を起動して、記憶部７１の保持する権利管理情報データベース３０３から、対応する権利管理情報を選択し、これを赤外通信部５５を用いて受像機３に送信する（ステップ１００３）。
【０１５２】
ここで、受像機３の制御部９は権利管理情報を受信したか否かを判断し、受信していない場合はステップ１００５に進み、受信した場合はステップ１００６に進む（ステップ１００４）。
【０１５３】
権利管理情報を受信していない場合は、受像機３はコンテンツを再生せず、ステップ１００２に戻る（ステップ１００５）。
なお、この際「このコンテンツは再生できません」等のメッセージを表示したり、再生可能な他のコンテンツを再生するようにしたりしてもよい。
【０１５４】
権利管理情報を受信した場合は、受像機３の制御部９は権利管理情報を参照し、コンテンツの再生が可能か否かを判断し、可能でない場合はステップ１００５に進み、可能な場合はステップ１００７に進む（ステップ１００６）。
【０１５５】
コンテンツの再生が可能でない場合は、受像機３はコンテンツを再生せず、ステップ１００２に戻る（ステップ１００５）。
【０１５６】
コンテンツの再生が可能な場合は、受像機３の制御部９はコンテンツ再生プログラム１０３を起動し、権利管理情報を基に受信したコンテンツを復号化して再生する（ステップ１００７）。
【０１５７】
次に、受像機３の制御部９は記憶部１１に権利管理情報を保持する（ステップ１００８）。
次に、受像機３の制御部９は存在情報受信プログラム１０４を起動し、赤外通信部２０を用いてＩＣカード２７ｂに対して存在情報２０４の送信を要求する（ステップ１００９）。
【０１５８】
要求を受けたＩＣカード２７ｂの制御部６９は、存在情報送信プログラム２０３を起動し、記憶部７１の保持する存在情報２０４を、赤外通信部５５を用いて受像機３に送信する（ステップ１０１０）。
【０１５９】
なお、存在情報２０４としては、ＩＣカード２７ｂの存在を確認できる情報であれば、特に限定するものではない。
例えば、復号化の方法として、コンテンツを復号するための鍵をＩＣカード２７ｂが定期的に算出して送信する方法を用いている場合は、この鍵を存在情報２０４として用いてもよい。
【０１６０】
ここで、受像機３の制御部９は存在情報２０４を受信したかを判断し、受信していない場合はステップ１０１２に進み、受信した場合はステップ１０１３に進む（ステップ１０１１）。
【０１６１】
存在情報２０４を受信していない場合は、受像機３は、ＩＣカード２７ｂが存在しないものとみなして、記憶部１１が保持する権利管理情報を消去して再生を停止し、ステップ１００２に戻る（ステップ１０１２）。
なお、この際「このコンテンツは再生できません」等のメッセージを表示したり、再生可能な他のコンテンツを再生するようにしたりしてもよい。
【０１６２】
存在情報２０４を受信した場合は、受像機３は、記憶部１１が保持する権利管理情報を元にしてコンテンツを復号化、再生してステップ１００９に戻る（ステップ１０１３）。
【０１６３】
即ち、受像機３の制御部９は、一度権利管理情報を受信した後は、ＩＣカード２７ｂが存在情報２０４を送信し続けている間はコンテンツを再生するが、送信しなくなると、コンテンツの再生を停止する。
【０１６４】
ここで、存在情報２０４は、ＩＣカード２７ｂの存在を示す情報であればよいので、権利管理情報と比べて容量を小さくすることができる。従って、存在情報２０４を送受信する場合のほうが、権利管理情報を送受信する場合と比べて通信負荷が小さくなる。
【０１６５】
このように、第６の実施の形態によれば、コンテンツ再生システム１ｅが受像機３と、ＩＣカード２７ｂからなり、受像機３は非接触手段によってＩＣカード２７ｂから送信された権利管理情報を元にしてコンテンツを復号化して再生する。
従って、第４の実施形態と同様の効果を奏する。
【０１６６】
また、第６の実施形態によれば、受像機３の制御部９は、一度権利管理情報を受信した後は、携帯端末５が存在情報２０４を送信し続けている間はコンテンツを再生するため、通信負荷を小さくすることができる。
【０１６７】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１６８】
例えば、第１〜第６の実施形態においては、非接触通信手段として赤外線を用いているが、赤外線以外の非接触通信手段、例えば電波を利用した非接触通信手段を用いてもよい。
また、第３の実施形態および第６の実施形態では、受像機３は存在情報２０４の受信の有無で、端末本体２５もしくはＩＣカード２７ｂの存在の有無を判断しているが、存在情報２０４の受信の有無ではなく、端末本体２５もしくはＩＣカード２７ｂからの返答の有無で存在の有無を判断してもよい。
【図面の簡単な説明】
【０１６９】
【図１】コンテンツ再生システム１の構成を示す図
【図２】受像機３のハードウェア構成を示す図
【図３】受像機３の記憶部１１の構成を示す図
【図４】携帯端末５のハードウェア構成を示す図
【図５】端末本体２５の記憶部４１の構成を示す図
【図６】ＩＣカード２７のハードウェア構成を示す図
【図７】ＩＣカード２７の記憶部７１の構成を示す図
【図８】コンテンツ再生システム１の動作を示すフローチャート
【図９】コンテンツ再生システム１ａの動作を示すフローチャート
【図１０】コンテンツ再生システム１ｂの動作を示すフローチャート
【図１１】コンテンツ再生システム１ｃの構成を示す図
【図１２】ＩＣカード２７ａのハードウェア構成を示す図
【図１３】ＩＣカード２７ａの記憶部７１の構成を示す図
【図１４】コンテンツ再生システム１ｃの動作を示すフローチャート
【図１５】コンテンツ再生システム１ｄの動作を示すフローチャート
【図１６】コンテンツ再生システム１ｅの動作を示すフローチャート
【符号の説明】
【０１７０】
１…………コンテンツ再生システム
３…………受像機
５…………携帯端末
９…………制御部
１１………記憶部
２０………赤外通信部
２２………赤外線受発光機
２５………端末本体
２７………ＩＣカード
３９………制御部
４１………記憶部
５５………赤外通信部
６１………赤外線受発光機
【図１】
2007208375.tif 000003
【図２】
2007208375.tif 000004
【図３】
2007208375.tif 000005
【図４】
2007208375.tif 000006
【図５】
2007208375.tif 000007
【図６】
2007208375.tif 000008
【図７】
2007208375.tif 000009
【図８】
2007208375.tif 000010
【図９】
2007208375.tif 000011
【図１０】
2007208375.tif 000012
【図１１】
2007208375.tif 000013
【図１２】
2007208375.tif 000014
【図１３】
2007208375.tif 000015
【図１４】
2007208375.tif 000016
【図１５】
2007208375.tif 000017
【図１６】
2007208375.tif 000018